(57)【要約】      （修正有）【課題】時、場所、状況に拘らず、練習装置単独でも、随時、足指による演奏練習を行うことができる携帯型演奏練習装置を提供する。【解決手段】携帯に適した手のひら大の筐体を有し、筐体表面に対象楽器の操作子に対応する表示灯ＬＥＤ１〜７を具え、筐体内部に、複数の練習曲の音楽情報を格納する曲目保持部と、保持する曲目の何れか１曲を選択する演奏曲目選択部と、選択した演奏曲目に応じた楽音発生タイミングを生成するリズム生成部と、演奏曲目の演奏に要求される楽器の操作子の操作に則して単数又は複数の表示灯を楽音発生タイミングに同期して点灯又は消灯する表示灯制御部と、楽器の操作子の操作によって楽器において予め決定されている楽音に相当する音を生成する楽音発生制御部と、外部との情報通信部と、を含み、各部を統括制御するマイクロコンピュータ、並びに、表示灯及びマイクロコンピュータに電力を供給する電源供給部、並びに、楽音に相当する音を発生する楽音発生器とを具える。【選択図】図１
0003218470.tif 000002
【実用新案登録請求の範囲】
【請求項１】
足指入力用キーボードを有する電子楽器に適合する演奏練習装置であって、
携帯に適した手のひら大の筐体を有し、該筐体表面に対象楽器の操作子に１対１で対応する表示灯を具え、前記筐体内部に、複数の練習曲の音高、音価、テンポを含む音楽情報を格納する曲目保持部と、該保持する曲目の何れか１曲を選択する演奏曲目選択部と、前記選択した演奏曲目に応じた楽音発生タイミングを生成するリズム生成部と、前記演奏曲目の演奏に要求される前記楽器の操作子の操作に則して単数又は複数の前記表示灯を前記楽音発生タイミングに同期して点灯又は消灯する表示灯制御部と、前記楽器の操作子の操作によって前記楽器において予め決定されている楽音に相当する音を生成する楽音発生制御部と、外部との情報通信部と、を含み、前記各部を統括制御するマイクロコンピュータ、並びに、前記表示灯及び前記マイクロコンピュータに電力を供給する電源供給部、並びに、前記楽音に相当する音を発生する楽音発生器とを具え、前記演奏曲目の楽音発生タイミングに応じて単数又は複数の表示灯を点灯又は消灯し、前記表示灯点灯時には、前記楽音発生器は、前記点灯表示灯の組合せに相当する楽音を発音することを特徴とする携帯型演奏練習装置。
【請求項２】
請求項１記載の携帯型演奏練習装置において、前記携帯型演奏練習装置は、離れた場所で前記表示灯を点灯消灯表示するための外部出力端子を備えたことを特徴とする携帯型演奏練習装置。
【請求項３】
請求項１又は２記載の携帯型演奏練習装置において、前記電源供給部が乾電池若しくは蓄電池又は前記電池とＤＣ-ＤＣコンバータとの組合せ、又は外部電源であることを特徴とする携帯型演奏練習装置。
【請求項４】
請求項１、２、３の何れかに記載の携帯型演奏練習装置において、前記外部との情報通信部は、パーソナル・コンピュータやスマートフォンとの通信を可能にする通信ソフト及びＵＳＢ接続部を有することを特徴とする携帯型演奏練習装置。
【考案の詳細な説明】
【技術分野】
【０００１】
本考案は、人間の手足指口唇等の演奏部位と楽器の操作子が１対１で対応する構造の楽器の演奏練習装置に関し、足指入力用キーボードを有する電子楽器に適合した携帯型演奏練習装置に係る。
【背景技術】
【０００２】
本考案者は先に、足指の屈伸動作で演奏可能な足指用キーボードを有する電子楽器を提案した（特願２０１６‐１２０２５４）。この電子楽器は足指の屈折・伸展、横方向への拡張・縮小、ひねりなどの動作に適合する特殊なキーボードを具え、音楽演奏で要求される迅速かつ正確なキー操作を可能にしたものである。そして考案者自身の体験では、若干の練習で唱歌や外国民謡等の簡易な曲目の演奏が可能になる。しかし一般に足指は手指のように意識的に動かせるものではないため、上記電子楽器は「極めて演奏困難な楽器」と誤解されるという課題があった。
【０００３】
鍵盤楽器の初歩的練習の補助装置として、曲の演奏に合わせて次に操作するキーを光等で指示する装置が数多く提案されている。例えば特許文献１には「表示式訓練装置付鍵盤楽器」という名称で、鍵盤楽器の各鍵または鍵盤近傍に、鍵に対応する表示器を備え、目視により演奏訓練を可能にする表示式訓練装置を付加した鍵盤楽器が開示されている。
【０００４】
また特許文献２には「演奏誘導装置」という名称で、フットペダルを備えた鍵盤楽器において、鍵盤の各鍵にその鍵自体を表示するＬＥＤと複数のフットペダルを表示する複数のＬＥＤ表示を備え、ＬＥＤの点灯表示でキー操作およびフットペダルの操作指示を行う演奏誘導装置が開示されている。
【０００５】
さらに特許文献３には「ナビゲート装置」という名称で、他の鍵盤楽器にも適用可能な、被ナビゲート楽器の押鍵操作が適切に行なわれているか否かを音高で判別する、汎用性を持たせた演奏ナビゲート装置が開示されている。
【先行技術文献】
【特許文献】
【０００６】
【特許文献１】特開昭５４−１２６０１５号公報
【特許文献２】特開２０００−３１５０８０号公報
【特許文献３】特開平７−１９９９１５号公報
【考案の概要】
【考案が解決しようとする課題】
【０００７】
しかし特許文献１乃至３に開示された発明は通常の鍵盤楽器の演奏支援装置であり、鍵盤楽器本体は、左右１０指の演奏指に比べてはるかに多くの鍵盤を具えている。このため演奏指示表示部は視線と指の操作位置が一致しやすいように鍵上または鍵盤近傍に設置されている。このため鍵盤に注意を奪われやすく演奏表示に過度に依存する癖がつくという課題があった。
特許文献１、２に開示された発明はいずれも鍵盤楽器の一部として構成されているため当該鍵盤楽器を離れては利用できない。上記特許文献３に開示の発明は鍵盤楽器とは別体の装置であり汎用性が向上しているが、演奏指示表示部は鍵盤楽器の近傍に配置して使用するものであり、鍵盤楽器を離れて発明本体単独で演奏練習に利用することはできない。
本考案の支援対象である足指入力用キーボードを有する電子楽器は、意識的動作を行い難い足指を使って、足指の屈折・伸展、横方向への拡張・縮小、ひねりなどの足指動作で操作する特殊なキーボードを具えた楽器であるため、日頃から、時、場所、状況に拘らず、普段意識的に動かしていない足指を繰り返し動かす訓練を行なうことが肝要であり、支援対象の上記電子楽器が傍らに在るか否かに拘らず演奏練習ができることが要求される。したがって、鍵盤楽器を離れて演奏練習ができない上記従来技術では足指入力用キーボードを有する電子楽器の演奏練習が期待できないという大きな課題があった。
【０００８】
本考案は、上記のような従来技術では未解決な、新規な課題に対処するために、人間の足指の動作特性に適合したキーボードを有する電子楽器への初期誘導を容易にするため、時、場所、状況に拘らず足指操作練習を随時行ない得る携帯型演奏練習装置を提供することを目的とする。
【課題を解決するための手段】
【０００９】
上記目的を達成するため、請求項１記載の考案は、足指入力用キーボードを有する電子楽器に適合する演奏練習装置であって、
携帯に適した手のひら大の筐体を有し、該筐体表面に対象楽器の操作子に１対１で対応する表示灯を具え、前記筐体内部に、複数の練習曲の音高、音価、テンポを含む音楽情報を格納する曲目保持部と、該保持する曲目の何れか１曲を選択する演奏曲目選択部と、前記選択した演奏曲目に応じた楽音発生タイミングを生成するリズム生成部と、前記演奏曲目の演奏に要求される前記楽器の操作子の操作に則して単数又は複数の前記表示灯を前記楽音発生タイミングに同期して点灯又は消灯する表示灯制御部と、前記楽器の操作子の操作によって前記楽器において予め決定されている楽音に相当する音を生成する楽音発生制御部と、外部との情報通信部と、を含み、前記各部を統括制御するマイクロコンピュータ、並びに、前記表示灯及び前記マイクロコンピュータに電力を供給する電源供給部、並びに、前記楽音に相当する音を発生する楽音発生器とを具え、前記演奏曲目の楽音発生タイミングに応じて単数又は複数の表示灯を点灯又は消灯し、前記表示灯点灯時には、前記楽音発生器は、前記点灯表示灯の組合せに相当する楽音を発音することを特徴とする携帯型演奏練習装置であり、携帯性に優れた手のひら大の筐体に表示灯、楽音発生器、電源を含む全ての機能を搭載しているので、上記対象楽器から離れた状況であっても、時、場所、状況に拘らず携帯型演奏練習装置単独で、随時、視覚と聴覚２系統の重畳的指示により、演奏練習を行うことができる。
【００１０】
請求項２記載の考案は、
請求項１記載の携帯型演奏練習装置において、離れた場所で前記表示灯を点灯消灯表示するための外部出力端子を具えたことを特徴とする携帯型演奏練習装置であり、離れた場所で前記表示灯を点灯消灯表示するための外部出力端子を具えているので、演奏練習装置本体から離れた、演奏者が演奏練習しやすい場所に表示灯を設置することができる。
【００１１】
請求項３記載の考案は、請求項１又は２記載の携帯型演奏練習装置において、前記電源供給部が乾電池若しくは蓄電池又は前記電池とＤＣ-ＤＣコンバータとの組合せ、又は外部電源であることを特徴とする携帯型演奏練習装置であり、複数の電源を択一的に使用できる。
【００１２】
また、請求項４記載の考案は、請求項１、２、３の何れかに記載の携帯型演奏練習装置において、前記外部との情報通信部は、パーソナル・コンピュータやスマートフォンとの通信を可能にする通信ソフト及びＵＳＢ接続部を有することを特徴とする携帯型演奏練習装置であり、上記ＵＳＢ接続部を介して演奏補助プログラムの更新や外部電源の供給を受けることができる。
【考案の効果】
【００１３】
以上説明したように、本出願の請求項１記載の考案は、
足指入力用キーボードを有する電子楽器に適合する演奏練習装置であって、
携帯に適した手のひら大の筐体を有し、該筐体表面に対象楽器の操作子に１対１で対応する表示灯を具え、前記筐体内部に、複数の練習曲の音高、音価、テンポを含む音楽情報を格納する曲目保持部と、該保持する曲目の何れか１曲を選択する演奏曲目選択部と、前記選択した演奏曲目に応じた楽音発生タイミングを生成するリズム生成部と、前記演奏曲目の演奏に要求される前記楽器の操作子の操作に則して単数又は複数の前記表示灯を前記楽音発生タイミングに同期して点灯又は消灯する表示灯制御部と、前記楽器の操作子の操作によって前記楽器において予め決定されている楽音に相当する音を生成する楽音発生制御部と、外部との情報通信部と、を含み、前記各部を統括制御するマイクロコンピュータ、並びに、前記表示灯及び前記マイクロコンピュータに電力を供給する電源供給部、並びに、前記楽音に相当する音を発生する楽音発生器とを具え、前記演奏曲目の楽音発生タイミングに応じて単数又は複数の表示灯を点灯又は消灯し、前記表示灯点灯時には、前記楽音発生器は、前記点灯表示灯の組合せに相当する楽音を発音することを特徴とする携帯型演奏練習装置であり、
携帯性に優れた手のひら大の筐体に表示灯、楽音発生器、電源を含む全ての機能を搭載しているので、上記対象楽器から離れた状況であっても、時、場所、状況に拘らず携帯型演奏練習装置単独でも、随時、視覚と聴覚２系統の重畳的指示により、演奏練習をすることができるという効果を奏する。
【００１４】
本考案の請求項２記載の携帯型演奏練習装置によれば、請求項１記載の携帯型演奏練習装置において、前記携帯型演奏練習装置は、離れた場所で前記表示灯を点灯消灯表示するための外部出力端子を備えたことを特徴とするので、演奏者が見やすい場所に前記表示灯を設置することができ、時・場所・状況に応じて最適な演奏練習が可能になるという効果を奏する。
【００１５】
本考案の請求項３記載の携帯型演奏練習装置によれば、請求項１又は２記載の携帯型演奏練習装置において、前記電源供給部が乾電池若しくは蓄電池又は前記電池とＤＣ-ＤＣコンバータとの組合せ、又は外部電源であることを特徴とするので、複数の電源を択一的に利用でき、装置のコンパクト化と長時間使用にも対応できるという効果を奏する。
【００１６】
本考案の請求項４記載の携帯型演奏練習装置によれば、請求項１、２、３の何れかに記載の携帯型演奏練習装置において、前記外部との情報通信部は、パーソナル・コンピュータやスマートフォンとの通信を可能にする通信ソフト及びＵＳＢ接続部を有することを特徴とするので、上記ＵＳＢ挿入部を介して前記対象楽器のバージョンアップ等の変更に伴う本演奏練習装置の演奏練習プログラムの更新や、パソコン等のＵＳＢ電源を外部電源として供給を受けられるという顕著な効果を有する。
【図面の簡単な説明】
【００１７】
【図１】携帯型演奏練習装置の概観図
【図２】上記携帯型演奏練習装置の内部構造
【図３Ａ】携帯型演奏練習装置の制御フローチャート
【図３Ｂ】携帯型演奏練習装置の制御フローチャート
【図３Ｃ】携帯型演奏練習装置の制御フローチャート
【図４】演奏速度制御回路の例
【図５】携帯型演奏練習装置の使用態様
【図６】外付け表示灯の概念及び回路
【図７】表示灯を携帯型演奏練習装置以外の場所に設置した使用態様
【考案を実施するための形態】
【００１８】
本考案の携帯型演奏練習装置は、足指の操作でリズミカルに楽音を入力して音楽を演奏する足指入力用キーボードを有する電子楽器の、初期導入を容易にするための演奏練習装置である。以下、本考案の携帯型演奏練習装置の実施例について図１乃至図７を参照しながら具体的に説明する。
【実施例１】
【００１９】
本考案は、人間の手足指口唇等の演奏部位と楽器の操作子が１対１で対応している構造の楽器の演奏練習装置として広く適用可能であるが、以下の実施例では、足指入力用キーボードを有する電子楽器に適合した携帯型演奏練習装置について詳述する。
本実施例の足指入力用キーボードを有する電子楽器に適合する携帯型演奏練習装置１は、足指入力用キーボードの楽音入力キー１１の数６鍵、プラス、踵等で入力操作する半音上りキー１１Ｓ１鍵に対応する７個の表示灯ＬＥＤ１〜ＬＥＤ７による表示部と、スピーカー又はイヤホーン等の楽音発生器３と、前記７個の表示灯ＬＥＤ１〜ＬＥＤ７の点灯消灯と、前記表示灯の点灯消灯パターンに合致した発音周波数の決定と、前記表示灯の点灯及び発音のタイミングを決定する、マイクロコンピュータ１５及び電源供給部１８とで構成される。
図１は、携帯型演奏練習装置１本体の概観図である。表示灯ＬＥＤ１〜ＬＥＤ７はケース本体（筐体）表面上部に横一列に配置されている。各表示灯はLEDを光源としている。符号３は楽音発生器でありこの例では圧電ブザー３を使用している。符号４は電源スイッチ４である。電源のオンオフの表示は後述するマイコン付属のLED１７を利用している。
符号５は選曲ボタン（演奏曲目選択スイッチ）５である。各スイッチのオンオフ状態を二進数で捉え、その値を引数にして曲を選択する。
符号６は、演奏速度調節ダイヤル６である。ダイヤルを適宜に設定して演奏速度を調節する。この設定した演奏速度を基準として前記マイクロコンピュータ１５は、前記表示灯の点灯消灯や、前記圧電ブザーの発音消音時間を制御する。（リズム生成部）詳細は後述する。
符号７は演奏スタートスイッチ７であり、選曲及び演奏速度設定をした後に押して演奏を開始する。符号８は演奏中止スイッチ８であり、曲の途中で演奏を中止するときに押す。
符号９は早送りスイッチ９であり、該スイッチを押している間は、前記設定演奏速度とは無関係に、高速で演奏が進行する。このとき表示灯は点滅状態となり、前記楽音発生器３は短周期で発音して曲の進度を知らせる（特殊演奏制御部）。
【００２０】
本体ケース（筐体）２側面の正面側にある符号１２の開口部はＵＳＢプラグ挿入口（USB接続部）１２であり、本体内のマイクロコンピュータ１５と図示しない外部のパーソナルコンピュータ等との情報交換を行い、必要に応じて外部電源の受給口となる（情報通信部）。
本体ケース（筐体）２側面の向って右側には、表示灯を本体以外の他所に設置するときに使用する表示灯外部出力端子（メス）１３を設けてある。このように表示灯外部出力端子１３を設けることで、演奏者の好みや使用目的に応じて表示灯設置場所を自由に選択できる。
図示しない本体ケース（筐体）２側面左側にはイヤホーン用ジャック１４が備えてあり、公共施設内や公共交通機関内等では必要に応じて、圧電ブザー音を発生させずに演奏をイヤホーンで聴くことができる。
【００２１】
図２は上記演奏練習装置１の内部構造の概略を表わしている。図の右端には該演奏練習装置１の各種制御を行うマイクロコンピュータ１５が配置してある。該マイクロコンピュータ１５にはミニＵＳＢ端子（メス）１６が付属しており、マイクロコンピュータ１５の動作状態を表示するLED１７も付属している。本実施例では、このマイクロコンピュータ付属のLED１７を電源表示灯として利用している。また前記ミニＵＳＢ端子（メス）１６は、上記演奏補助装置１と外部機器との通信用ポート以外に、必要に応じて本演奏補助装置１の外部電源受給口としても機能する。
【００２２】
図の左端には内部電源としての電池ボックス１８が配置してある。電源は乾電池又はリチウムイオン電池等の蓄電池又は前記電池と電源安定回路（ＤＣ−ＤＣコンバータ）との組合せが好適である。前記マイクロコンピュータ１５と電池ボックス１８の中間部には演奏スタートスイッチ７、演奏中止スイッチ８、早送りスイッチ９及び演奏曲目選択スイッチ（選曲ボタン）５が略一列に配置してある。筐体表面に取付けてある楽音発生器としての圧電ブザー３、電源スイッチ４及び演奏速度調整ダイヤル６は破線で示している。図の上部は７個の表示灯（ＬＥＤ１〜ＬＥＤ７）の設置エリアであり、該表示灯設置エリアの左右ケース側面にはイヤホーン用ジャック１４及び表示灯外部出力端子（メス）１３が取付けてある。
【００２３】
図３Ａ〜図３Ｃは本実施例の演奏練習装置１の制御フローチャートである。
本携帯型演奏練習装置１の制御対象は、７個ある各表示灯（ＬＥＤ１〜ＬＥＤ７）の点灯タイミングと点灯継続時間（＝消灯タイミング）並びに、楽音の音高（周波数）及び発音タイミングと発音継続時間（＝消音タイミング）である。さらに足指入力という楽器操作上の特殊性を考慮して、ある音から次の音へ移るときのロスタイムも制御対象に加えている。
【００２４】
本実施例の携帯型演奏練習装置１は、予め前記マイクロコンピュータ１５に基礎データとして、前記足指入力用キーボードを有する電子楽器１０が発生可能な楽音の範囲の周波数データ及びその楽音を発生させる楽音入力キー１１のパターンデータ（表１）、並びに音符及び休符の持続時間である音価（表２）を格納している。
【００２５】
【表１】
0003218470.tif 000003
【００２６】
【表２】
0003218470.tif 000004
【００２７】
（演奏曲目選択制御）
本実施例の携帯型演奏練習装置は、予め前記マイクロコンピュータ１５の曲目保持部に複数の練習曲の音高、音価、テンポ等の音楽情報が格納してある。練習曲「聖者の行進」の曲の一部を表３に示している。
【００２８】
【表３】
0003218470.tif 000005
【００２９】
表３における「ＴＩＴＬＥ：０」は、選曲のための識別数字である。
「テンポ：１００」は、曲の速さを４分音符に換算した数値で表わしている。
配列ＰＩＴＣＨ［３３］は、曲の進行に則して前記表１の楽音を指す「添字」を順々に記してある。最初の配列要素の「１１」はＣ４（ド）を表わし、「１５」、「１７」、「１９」は順に、Ｅ４（ミ）、Ｆ４（ファ）、Ｇ４（ソ）を表わしている。最後の要素「０」は曲の終了処理に使う。
配列ＴＯＮＥ［３２］は楽音の音価を表わしていて、要素の値「４」は４分音符に相当する長さであり、同様に「８」は２分音符、「１２」は２分音符プラス４分音符の長さを表わしている。休符においても同様である。
【００３０】
（演奏速度調節制御）
本実施例の携帯型演奏練習装置１は、前記足指入力用キーボードを有する電子楽器１０の入門者の演奏練習を主な使用対象としているので、演奏速度を上記のテンポより大幅に遅くすることや、繰り返し練習したいところまで速やかに進めるなどの速度調節が可能になっている。
演奏速度調節は、図４に示す可変抵抗器（ＶＲ）２０と固定抵抗器（Ｒ１〜Ｒ３）２１からなる可変分圧回路と、ａ接点とｂ接点をもつ切替スイッチ２２を組み合わせた回路で構成され、切替スイッチ２２のｃ接点はマイクロコンピュータ１５のアナログ入力ポートに接続されている。
前記スイッチ２２を操作しない通常状態では、マイクロコンピュータ１５は、ｂ接点からｃ接点を介してアナログ入力ポートに送られる上記可変抵抗器２０によって分圧された電圧に基づいて、段階的に演奏速度を決定する（表４参照）。
コンピュータは可変抵抗器２０によって調節される分圧回路の電圧を６段階に振分け、演奏曲のテンポ（ＴＥＭＰＯ）に１〜３／８の係数を乗じて段階的に変化させた変数Ａｃｔｅｍｐｏを得る。
【００３１】
【表４】
0003218470.tif 000006
【００３２】
この速度調節回路では、上記切替スイッチ２２（図１の早送りスイッチ９）を押し続けている間は、電源電圧に近い電圧信号がマイクロコンピュータ１５のアナログ入力ポートに送られる。この電圧信号は可変抵抗器２０を介してアナログ入力ポートに送られる電圧信号より明確に高くなるように各固定抵抗器（Ｒ１〜Ｒ３）２１の抵抗値を設定してある。
マイクロコンピュータ１５は前記電圧信号が閾値を超えて高いときは、早送り操作がされたものと判断して、上記テンポ（ＴＥＭＰＯ）に５を乗じたＡｃｔｅｍｐｏを選択し、早送り制御を行う。
切替スイッチ２２（早送りスイッチ９）の操作をやめると、マイクロコンピュータ１５は、早送り前の演奏速度に戻って演奏を継続する。
【００３３】
（楽音の表示及び発音のループ）
図３Ａ〜図３Ｃに基づいて演奏ループを説明する。
図３Ｂ、図３Ｃ中、右側の処理は予告表示を行う場合の付加的処理である。
【００３４】
最初に選曲を行う（演奏曲目選択部）。次いで、演奏スタートスイッチ（７）を操作すると、「ｉ＝０」が実行され、次に表４の演奏速度決定処理が実行される（演奏速度調節部）。
次に、楽音入力キーパターンと楽音周波数を取得するために、配列ＰＩＴＣＨ［３３］のｉ番目の要素を変数ＰＡに代入する。
前記表１中のキーパターン欄の数値を配列要素とする配列ＦＫＰ［４０］において、表１中の添字欄がＰＡである配列要素を変数ＫＰに代入する。
ＫＰは楽音入力キーパターンを１０進数で表わした数なので、これを展開してＬＥＤ１〜ＬＥＤ７の点灯消灯パターンを表わす７つの変数を求める。
具体的には計算のための変数ＣＡにＫＰを代入する。ＣＡを２進数化して、ＬＥＤ１〜ＬＥＤ７の点灯消灯パターンを表わす７つの変数にするために、下記表５の計算を行う。
【００３５】
【表５】
0003218470.tif 000007
【００３６】
ＣＡと６４（＝２＾７）を対比して、ＣＡ＜６４であれば変数Ｌ１に０を代入し、ＣＡにそのままＣＡを代入する。ＣＡ＞６４であれば変数Ｌ１に１を代入し、ＣＡにＣＡ−６４を代入する。
次に、ＣＡと３２（＝２＾６）を対比して、ＣＡ＜３２であれば変数Ｌ１に０を代入し、ＣＡにそのままＣＡを代入する。ＣＡ＞３２であれば変数Ｌ２に１を代入し、ＣＡにＣＡ−３２を代入する。
以下、この計算を繰り返して、ＬＥＤ１〜ＬＥＤ７の点灯消灯パターンに相当する変数Ｌ１、Ｌ２、Ｌ３、Ｌ４、Ｌ５、Ｌ６、Ｌ７を得る（表示灯制御部）。
【００３７】
（予告表示制御）
本考案では、表示灯を点滅して予告表示を行うこともできるので、予告表示する場合の表示灯の点灯消灯動作について、図３Ｂ、図３Ｃ中、右側に記載した処理に基づいて説明する。
前述の、配列ＰＩＴＣＨ［３３］のｉ番目の要素を変数ＰＡに代入すると同時に、ｉ＋１番目の要素を変数ＮＰＡに代入する。以下、上記ＫＰをＮＫＰと置き換えて同様の操作で予告表示用点灯消灯パターンに相当する変数ＮＬ１、ＮＬ２、ＮＬ３、ＮＬ４、ＮＬ５、ＮＬ６、ＮＬ７を得る。
本考案では、予告表示の認識性を向上させるために、現在消灯中の表示灯は一瞬（０．２秒間）点灯し、現在点灯中の表示灯は一瞬（０．２秒間）消灯する予告表示をおこなう。このため、現在表示中の各表示灯の点灯状態と予告表示の点灯を比較し、現在点灯中（１）であり、かつ、予告表示も点灯（１）である場合は、表示灯の予告表示を消灯（０）に切替える処理を行う。このようにして予告表示用点灯消灯パターンに相当する変数ＮＬ１、ＮＬ２、ＮＬ３、ＮＬ４、ＮＬ５、ＮＬ６、ＮＬ７を確定する。
【００３８】
（楽音発生制御部）
前記表１中の周波数欄の数値を配列要素とする配列ＨＺ［４０］の添字ＰＡの配列要素を変数ＳＰＨＺに代入し、曲のｉ番目の楽音の周波数を取得する。
【００３９】
（リズム生成部）
表示灯及び発音の持続時間の目安である音価は、表３の配列ＴＯＮＥ［３２］のｉ番目の音価を変数ＴＡに代入して取得する。
実際の表示灯及び発音の持続時間は、上記音価と曲のテンポ及び演奏速度設定によって決まるので以下の計算処理を行う。
実際の持続時間（ＤＴ：ミリ秒）は表４に示した前記変数Ａｃｔｅｍｐｏ及び上記変数ＴＡを用いて、ＤＴ＝１５０００＊ＴＡ／Ａｃｔｅｍｐｏとして求める。
【００４０】
（予告表示制御）
予告表示を行うときは上記ＤＴの５０％の時間で、一時的に次候補（ｉ+１）の楽音入力キーパターンを表示するため、予告表示のときはＤＴの代わりに、変数ＤＴ５０を、ＤＴ５０＝７５００＊ＴＡ／Ａｃｔｅｍｐｏとして求める。
予告表示の持続時間ＤＴＦは通常２００ミリ秒にしてあるので、持続時間ＤＴからＤＴ５０及びＤＴＦ（２００ミリ秒）を差し引いた残余をＤＴＺ（ミリ秒）とすると、ＤＴ５０＝ＤＴ−ＤＴ５０であるから、
ＤＴＺ＝ＤＴ５０−ＤＴＦになる。
ここでＤＴ５０＜２００となる場合は、ＤＴＺに「０」を代入する。
【００４１】
（表示灯及び楽音発生制御）
上記で求めたＬ1〜Ｌ7の値（０又は１）を対応するＬＥＤ１〜ＬＥＤ７の出力ピンに書き込んで点灯消灯させる。同時に楽音発生器３の出力ピンにＳＰＨＺの値の周波数を発音させる。
予告表示をしない場合は、時間計測がＤＴに到達したらＬＥＤ１〜ＬＥＤ７の出力ピンに「０」を書き込んで消灯させる。同時に楽音発生器３の出力ピンに「０」の値を書き込む、若しくは消音コマンドを書き込んで消音させる。
【００４２】
予告表示をする場合は、時間計測がＤＴ５０に到達したらＬＥＤ１〜ＬＥＤ７の出力ピンにＮＬ１〜ＮＬ７を書き込んで予告表示を点灯又は消灯させる。時間計測が２００ミリ秒に達したら、Ｌ1〜Ｌ7の値をＬＥＤ１〜ＬＥＤ７の出力ピンに書き込んで初期状態の点灯消灯をさせる。ただし、上述のようにＤＴ５０＜２００となる場合はＤＴＺに「０」を代入して、初期状態の点灯消灯はキャンセルする。
【００４３】
時間計測がＤＴＺに到達したら、ＬＥＤ１〜ＬＥＤ７の出力ピンに「０」書き込んで消灯させ、同時に楽音発生器（３）の出力ピンに０の値を書き込む、若しくは消音コマンドを書き込んで消音させる。
【００４４】
（リズム生成制御）
本考案では、足指でのキー操作という特殊性に鑑みて、楽音と次の楽音への移行時間として、ロスタイム（ＬＴ）という空時間を設けている。
【００４５】
前記足指入力用キーボードを有する電子楽器１０は、足指の動作特性を考慮して、足指ジャンケン等で行われる４つの足指パターンを演奏操作に用いている。
具体的には、Ｃ４（ド）の音を発生させるときは、左脚でジャンケンの「パー」に相当する全足指を開いた状態をつくり、第５足指（小指）側面で左脚第５足指用キー１１Ｌ５を押下する（足指パターン１）。
Ｄ４（レ）の音を発生させるときは、左脚でジャンケンの「グー」に相当する、全足指を軽く閉じた状態をつくり、全足指で同脚第５足指乃至第１足指（親指）用の３つのキー１１Ｌ５、１１Ｌ２、１１Ｌ１を押下する（足指パターン２）。
Ｅ４（ミ）の音を発生させるときは、左脚でジャンケンの「チョキ」に相当する、第１足指（親指）だけを上げた状態をつくり、第２足指乃至第５足指を用いて、同脚第２・第３足指（中指）用キー１１Ｌ２及び第５足指用キー１１Ｌ５を押下する（足指パターン３）。
Ｆ４（ファ）の音を発生させるときは、左脚で前記「チョキ」と逆に、第２足指乃至第５足指を浮かせた状態をつくり、第１足指単独で同脚第１足指用キー１１Ｌ１を押下する（足指パターン４（逆チョキ））。
以下、「ソ」は右脚でパターン４（逆チョキ）の足指操作を行い、「ラ」は右脚でパターン３（チョキ）の足指操作を行い、「シ」は右脚でパターン２（グー）の足指操作を行い、１オクターブ高いＣ５（ド）は左右両脚でパターン１（パー）の足指操作を同時に行って演奏する。
【００４６】
このように足指パターンを頻繁に変更する必要があるため、通常の手指で操作する楽器のラグタイムより長いロスタイム（空白時間）を設けている。
上記のロスタイムは、速度設定が遅いときは長く速度設定が速いときは短くしたいので、変数ＬＴは、ＬＴ（ミリ秒）＝１２０００／Ａｃｔｅｍｐｏ+２００として、実演奏速度が速いと短くなる変動時間成分と、演奏速度に無関係な一定時間成分の和で計算する。
変動時間成分は、例えば４分音符６０拍／分の場合に２００ミリ秒になるように設定し、一定時間成分を２００ミリ秒にすると、この場合のロスタイムは４００ミリ秒になる。このように変動時間成分を設けると早送り（５倍速）の場合は、変動時間成分が５分の１になるので、ロスタイムは２４０ミリ秒に短縮される。
【００４７】
（特殊演奏制御）
上記の楽音表示・発音処理の後、次の楽音に移行する間に演奏中止スイッチ８操作や早送りスイッチ９の操作等の速度設定変更がされた場合、及び曲の最後の楽音（休符を含む）が実行されて演奏が終了した場合の操作を説明する。
【００４８】
演奏中止スイッチ（８）が操作されたときは、ループから抜け出して演奏スタートスイッチ操作以前まで戻る。
【００４９】
演奏速度調節ダイヤル６の設定が変更された、又は早送りスイッチ９が操作された場合は、次の楽音から、変更された演奏速度で演奏を継続する。
【００５０】
曲の最後の楽音（休符を含む）が実行されて演奏が終了したときに（ｉ＝＝Ｎ−１）、予告表示が行われている場合は、通常２００ミリ秒に設定してあるＤＴＦに「０」を代入し、かつ予告表示後の残余表示時間ＤＴＺは、
ＤＴＺ＝ＤＴＺ+２００として、予告表示時間を残余表示時間に繰り入れて予告表示を行わない処理をする。
予告表示が行われていない場合は上記処理は不要である。
【００５１】
以上の処理が終わったら「ｉ」をインクリメントして演奏ループに戻る。
以下、この処理をｉ＝Ｎ−１になるまで繰り返す。
【００５２】
図５は、本実施例の携帯型演奏練習装置1の一般的使用態様を表わしている。図のように足指入力用キーボードを有する電子楽器１０を足元に置き、本携帯型演奏練習装置１を机上等に置き、鍵盤近傍を見ることなく演奏練習を行なっている。
【００５３】
さらに、本実施例の携帯型演奏練習装置1は、図５に示すように、装置全体が手のひら大の寸法なので、室内又は電車等の公共交通手段に乗車時など、椅子に座った状態であれば、前記足指入力用キーボードを有する電子楽器１０なしでも、表示灯ＬＥＤ１〜ＬＥＤ７の点灯消灯パターンと発音部品３からの楽音に基づいて、足指のみを動かす演奏練習が出来るという、従来技術にない効果を奏する。
【００５４】
このように本実施例の携帯型演奏練習装置を利用して足指を自由に動かす訓練を重ねることにより、脳・神経系と運動筋肉系に足指を意識的に動かす新しい回路が形成され、又は休止していた回路が復活し、全身的な健康状態が向上するという副次的な効果も期待できる。
【実施例２】
【００５５】
本実施例の携帯型演奏練習装置1は、前記表示灯ＬＥＤ１〜ＬＥＤ７を、離れた場所で点灯消灯表示するための表示灯外部出力端子（13）を備えたことを特徴としており、図５に示すような一般的使用態様以外にも、演奏練習装置１本体から離れた、演奏者が見やすい場所に外付け表示灯を設置すれば、時・場所・状況に応じて最適な演奏練習ができる。さらに壁面等に前記外付け表示灯を設置すれば、複数の人が同時に練習又は合奏することも可能になる。
具体的には、前記表示灯外部出力端子（メス）１３に延長ケーブル３１の一端のコネクタ（オス）を嵌入し、前記延長ケーブル３１の他端に、本体表示灯ＬＥＤ１〜ＬＥＤ７に対応した外付け表示灯ＳＤ１〜ＳＤ７（図６参照）を接続し、演奏補助装置本体の表示灯ＬＥＤ１〜ＬＥＤ７と同期して、又は外付け表示灯ＳＤ１〜ＳＤ７単独で点灯消灯させる。
【００５６】
図６ａは上記外付け表示灯ＳＤ１〜ＳＤ７の例である。中央の外付け表示灯SD４には延長ケーブル３１の一端を嵌入するメス端子３２が設けてあり、この外付け表示灯SD４から左右3個づつの外付け表示灯（ＳＤ１〜ＳＤ３、ＳＤ４〜ＳＤ７）に信号線が延びている。
図６ｂは前記外付け表示灯ＳＤ１〜ＳＤ７の回路例である。図示しないが、プレゼンテーション等で高輝度のLEDや電球などの大きな電流を要する表示灯ＳＤ１〜ＳＤ７を用いる場合は、マイクロコンピュータ１５への過負荷防止のため、外付け表示灯用電源及びトランジスタ等のスイッチング素子の追加が必要である。これらの付加的な電源や素子は、外付け表示灯ＳＤ１〜ＳＤ７の何れかに、又は分散して組み込んでおく。若しくは予め本携帯型演奏練習装置１の筐体内に組み込んでおいてもよい。
【００５７】
図７は、本実施例の演奏練習装置１の表示灯用外部出力端子１３に延長ケーブル３１を介して、白板上に外付け表示灯ＳＤ１〜ＳＤ７を設置して、複数の人にプレゼンテーションを行っている使用態様である。この使用例では、複数の試用者に足指入力用キーボードを有する電子楽器１０を貸与して、プレゼンテータが前記足指入力用キーボードを有する電子楽器１０の基本的な演奏方法及び簡単な曲（きらきら星等）の演奏を試用者に指導する例である。
このような使用態様は、足指入力用キーボードを有する電子楽器１０の初期誘導（試用）や、初心者の演奏指導に好適である。
【符号の説明】
【００５８】
１        携帯型演奏練習装置
２        携帯型演奏練習装置本体ケース（筐体）
１０      足指入力用キーボードを有する電子楽器
１１      楽音入力キー
１１Ｌ５  左脚第５足指入力用キー
１１Ｌ２  左脚第２・第３足指入力用キー
１１Ｌ１  左脚第１足指入力用キー
１１Ｒ１  右脚第１足指入力用キー
１１Ｒ２  右脚第２・第３足指入力用キー
１１Ｒ５  右脚第５足指入力用キー
１１Ｓ    左右脚の踵で入力操作する半音上りキー（シャープキー）
ＬＥＤ１  左脚第５足指入力用キーに対応する表示灯
ＬＥＤ２  左脚第２・第３足指入力用キーに対応する表示灯
ＬＥＤ３  左脚第１足指入力用キーに対応する表示灯
ＬＥＤ４  踵で入力操作する半音上りキーに対応する表示灯
ＬＥＤ５  右脚第１足指入力用キーに対応する表示灯
ＬＥＤ６  右脚第２・第３足指入力用キーに対応する表示灯
ＬＥＤ７  右脚第５足指入力用キーに対応する表示灯
３        発音部品（圧電ブザー）
４        電源スイッチ
５        選曲ボタン（演奏曲目選択スイッチ）
６        演奏速度調節ダイヤル
７        演奏スタートスイッチ
８        演奏中止スイッチ
９        早送りスイッチ
１２      ＵＳＢプラグ挿入用開口部
１３      表示灯外部出力端子（メス）
１４      イヤホーン用ジャック
１５      マイクロコンピュータ（マイコン）
１６      ミニＵＳＢ端子（メス）
１７      マイコン付属の動作状態表示ＬＥＤ
１８      電源供給部（電池ボックス）
２０      可変抵抗器
２１      固定抵抗器
２２      切替スイッチ
ＳＤ１    ＬＥＤ１に対応する外付け表示灯
ＳＤ２    ＬＥＤ２に対応する外付け表示灯
ＳＤ３    ＬＥＤ３に対応する外付け表示灯
ＳＤ４    ＬＥＤ４に対応する外付け表示灯
ＳＤ５    ＬＥＤ５に対応する外付け表示灯
ＳＤ６    ＬＥＤ６に対応する外付け表示灯
ＳＤ７    ＬＥＤ７に対応する外付け表示灯
３１      延長ケーブル
３２      メス端子
【図１】
0003218470.tif 000008
【図２】
0003218470.tif 000009
【図３Ａ】
0003218470.tif 000010
【図３Ｂ】
0003218470.tif 000011
【図３Ｃ】
0003218470.tif 000012
【図４】
0003218470.tif 000013
【図５】
0003218470.tif 000014
【図６】
0003218470.tif 000015
【図７】
0003218470.tif 000016